(57)【要約】【課題】  長文の電子メールを読んでいる場合であっても、キー操作が行われなければ、携帯電話機のユーザが電子メールを読み終わったか、あるいは読み終わらなかったかに関わらず、ＬＣＤバックライトが消灯してしまっていた。【解決手段】  予めメモリ部６が、電子メールのデータ量とフォントサイズとの組み合わせに応じたＬＣＤバックライト５の点灯時間を記憶しておく。制御部１は、電子メールをＬＣＤ４に表示させると、表示させた電子メールのデータ量とフォントサイズとの組み合わせに応じて、所定の時間、ＬＣＤバックライト５を点灯させる。例えば、電子メールのデータ量が大きく、フォントサイズが小さい場合には、ＬＣＤバックライト５を長時間点灯させる。【選択図】  図１
2005229536.tif 000002
【特許請求の範囲】
【請求項１】
ＬＣＤを備えた携帯電話機において、
前記ＬＣＤに表示される文字のフォントサイズと前記ＬＣＤに表示されるデータのデータ量とにもとづいてＬＣＤバックライトを点灯させる時間を決定する制御手段
を備えたことを特徴とする携帯電話機。
【請求項２】
複数種類のフォントサイズのそれぞれと複数種類の電子メールのデータ量のそれぞれとに応じたＬＣＤバックライトの点灯時間を示す点灯時間情報を記憶する記憶手段を備え、
制御手段は、電子メールのデータ量を算出し、前記記憶手段が記憶する複数種類の点灯時間情報から、指定されたフォントサイズと算出した前記データ量とに対応する点灯時間情報を選択し、選択した点灯時間情報が示す時間を点灯時間として前記ＬＣＤバックライトを点灯させる
請求項１記載の携帯電話機。
【請求項３】
制御手段は、ユーザが電子メールをＬＣＤに表示している時間を計測し、計測された時間が点灯時間に達したらＬＣＤバックライトを消灯させる
請求項２記載の携帯電話機。
【請求項４】
制御手段は、ＬＣＤバックライトを点灯させている間に、ユーザが操作を行なうと点灯時間を延長する
請求項２または請求項３記載の携帯電話機。
【請求項５】
制御手段は、ユーザがフォントサイズを変更すると、変更後のフォントサイズとデータ量とに対応する点灯時間情報を新たに選択して点灯時間を変更する
請求項２から請求項４のうちいずれか１項記載の携帯電話機。
【請求項６】
記憶手段は、相対的に小さいフォントサイズに応じて長い点灯時間を示す点灯時間情報を記憶するとともに、相対的に大きいフォントサイズに応じて短い点灯時間を示す点灯時間情報を記憶する
請求項２から請求項５のうちいずれか１項記載の携帯電話機。
【請求項７】
制御手段は、電子メールをＬＣＤに表示してからユーザが操作を行うまでの時間を計測し、計測された各時間を記憶手段が記憶する各点灯時間情報毎に集計し、計測された各時間のうちに点灯時間情報が示す時間を超えるものがある場合には、ＬＣＤバックライトを点灯する時間が長くなるように当該点灯時間情報を更新し、計測された各時間のうちに点灯時間情報が示す時間を超えるものがない場合には、前記ＬＣＤバックライトを点灯する時間が短くなるように当該点灯時間情報を更新する
請求項２から請求項６のうちいずれか１項記載の携帯電話機。
【発明の詳細な説明】
【技術分野】
【０００１】
本発明は、携帯電話機のＬＣＤのバックライトの点灯時間の制御に関する。
【背景技術】
【０００２】
一般に、携帯電話機におけるＬＣＤ（液晶表示装置（Ｌｉｑｕｉｄ  Ｃｒｙｓｔａｌ  Ｄｉｓｐｌａｙ））のバックライトであるＬＣＤバックライトは、キー操作等の割り込み処理がない限り、予め設定された時間が経過すると自動的に消灯（または、微点灯に移行してから消灯）するように制御されている。
【０００３】
従って、例えば、１画面以上にわたる長文の電子メールを読んでいるような場合であっても、キー操作が行われなければ、携帯電話機のユーザが電子メールを読み終わったか、あるいは読み終わらなかったかに関わらず、ＬＣＤバックライトが消灯してしまっていた。
【０００４】
自動的にＬＣＤバックライトの点灯時間を延長する機能を有する携帯電話機があるが、そのような携帯電話機は、受信した電子メールのデータ量に応じてＬＣＤバックライトの点灯時間を延長している。その場合、表示する文字のフォントサイズが小さい場合には１画面に表示する文字数が多いためＬＣＤバックライトの点灯時間の延長は有効であるが、表示する文字のフォントサイズが大きい場合には１画面に表示する文字数が少ないため、必然的にキー操作による画面スクロールが頻繁に行なわれ、ＬＣＤバックライトの点灯時間の延長が有効に活用されてはいない。
【０００５】
また、表示する文字のフォントサイズが小さい場合であっても、延長されたＬＣＤバックライトの点灯時間が各ユーザにとって最適であるとは限らず、過度の点灯時間延長により、無駄に電力を消費してしまうという問題があった。そのような問題を解決するために、ＬＣＤの１画面に表示するデータの量に応じてＬＣＤバックライトの点灯時間を決定する携帯電話機が提案されている（例えば、特許文献１参照。）。
【０００６】
また、電子メールの作成および閲覧と、インターネット等を介して受信した情報の表示とを行なう場合に、ＬＣＤバックライトの点灯時間を長くする無線電話装置が提案されている（例えば、特許文献２参照。）。
【０００７】
【特許文献１】特開２００２−１２３２３１号公報  （第３−５頁、第１図）
【特許文献２】特開２００１−１８６２５０号公報  （第３−６頁、第４図）
【発明の開示】
【発明が解決しようとする課題】
【０００８】
特許文献１に記載されている携帯電話機は、電子メール等の１文字あたりのＬＣＤバックライト点灯時間にもとづいてＬＣＤバックライトを消灯させるまでの時間を決定しているが、携帯電話機のユーザが、ＬＣＤに表示する文字のフォントサイズを大きく設定している場合、文字の視認性が良いため電子メール等の閲覧にかかる時間は短くなり、ＬＣＤバックライトの点灯時間が必要以上に長くなってしまう。また、携帯電話機のユーザが、ＬＣＤに表示する文字のフォントサイズを小さく設定している場合、文字の視認性が悪いため電子メール等の閲覧にかかる時間は長くなり、ＬＣＤバックライトの点灯時間が不足がちになってしまう。
【０００９】
また、特許文献２に記載されている無線電話装置は、短い電子メールの作成や閲覧をする場合であってもＬＣＤバックライトの点灯時間を長くしてしまうため、ＬＣＤバックライトの点灯時間が必要以上に長くなってしまう。
【００１０】
そこで、本発明は、文字の視認性と表示するデータ量とを考慮してＬＣＤバックライトを点灯させる時間を決定することができる携帯電話機を提供することを目的とする。
【課題を解決するための手段】
【００１１】
本発明による携帯電話機は、ＬＣＤに表示される文字のフォントサイズとＬＣＤに表示されるデータのデータ量とにもとづいてＬＣＤバックライトを点灯させる時間を決定する制御手段を備えたことを特徴とする。
【００１２】
複数種類のフォントサイズのそれぞれと複数種類の電子メールのデータ量のそれぞれとに応じたＬＣＤバックライトの点灯時間を示す点灯時間情報を記憶する記憶手段を備え、制御手段が、電子メールのデータ量を算出し、記憶手段が記憶する複数種類の点灯時間情報から、指定されたフォントサイズと算出したデータ量とに対応する点灯時間情報を選択し、選択した点灯時間情報が示す時間を点灯時間としてＬＣＤバックライトを点灯させるように構成されていてもよい。
【００１３】
制御手段は、例えば、ユーザが電子メールをＬＣＤに表示している時間を計測し、計測された時間が点灯時間に達したらＬＣＤバックライトを消灯させる。
【００１４】
制御手段が、ＬＣＤバックライトを点灯させている間に、ユーザが操作を行なうと、点灯時間を延長するように構成されていてもよい。そのような構成によれば、ユーザが例えば画面スクロール等を行なうと、ＬＣＤバックライトの点灯時間を延長することができる。
【００１５】
制御手段が、ユーザがフォントサイズを変更すると、変更後のフォントサイズとデータ量とに対応する点灯時間情報を新たに選択して点灯時間を変更するように構成されていてもよい。そのような構成によれば、ユーザが変更したフォントサイズに対応した時間、ＬＣＤバックライトを点灯させることができる。
【００１６】
記憶手段が、相対的に小さいフォントサイズに応じて長い点灯時間を示す点灯時間情報を記憶するとともに、相対的に大きいフォントサイズに応じて短い点灯時間を示す点灯時間情報を記憶するように構成されていてもよい。そのような構成によれば、フォントサイズが小さい場合、比較的視認性が悪いためユーザが電子メールを読むのに要する時間がかかり、ＬＣＤバックライトの点灯時間を長くする。また、フォントサイズが大きい場合、比較的視認性が良いためユーザが電子メールを読むのに要する時間は短く、ＬＣＤバックライトの点灯時間を短くする。このように、電子メールの視認性に配慮してＬＣＤバックライトの点灯時間を設定することができる。
【００１７】
制御手段が、電子メールをＬＣＤに表示してからユーザが操作を行うまでの時間を計測し、計測された各時間を記憶手段が記憶する各点灯時間情報毎に集計し、計測された各時間のうちに点灯時間情報が示す時間を超えるものがある場合には、ＬＣＤバックライトを点灯する時間が長くなるように当該点灯時間情報を更新し、計測された各時間のうちに点灯時間情報が示す時間を超えるものがない場合には、ＬＣＤバックライトを点灯する時間が短くなるように当該点灯時間情報を更新するように構成されていてもよい。そのような構成によれば、ユーザが電子メールを読むのに要する時間にあわせたＬＣＤバックライト点灯時間を設定することができる。
【発明の効果】
【００１８】
本発明によれば、電子メールを閲覧する電子メール表示画面をＬＣＤに表示させる際に、ＬＣＤに表示する文字のフォントサイズと受信した電子メールのデータ量とに応じてＬＣＤバックライトを点灯させる時間を決定するため、文字の視認性と表示するデータ量とを考慮してＬＣＤバックライトを点灯させる時間を決定することができる。
【発明を実施するための最良の形態】
【００１９】
本発明の実施の形態の構成について、図面を参照して説明する。図１は、本発明の実施の形態の一構成例を示すブロック図である。
【００２０】
本発明による携帯電話機１０は、携帯電話機１０の各部を制御する制御部（制御手段、記憶手段）１、通話音声信号や、電子メールを無線信号に変換したり、無線信号を通話音声信号や電子メールに変換したりする無線部２、無線信号を送受信するアンテナ３、情報を表示するＬＣＤ４、携帯電話機１０のユーザに対してＬＣＤ４の後方からＬＣＤ４を照らすＬＣＤバックライト５、携帯電話機１０を動作させるためのプログラムや、ＩＤ情報や電話番号等の携帯電話機１０の固有の情報を記憶するメモリ部（記憶装置）６、およびユーザが携帯電話機１０に情報や指示を入力するキー操作部７を含む。
【００２１】
制御部１は、ＬＣＤ４に電子メールを表示してからの経過時間を計測するタイマを含む。なお、携帯電話機１０は、制御部１の制御によってＬＣＤ４に電子メールを表示してからの経過時間を計測するタイマを制御部１の外部に備えていてもよい。また、無線部２は、アンテナ３を介して無線信号を受信して電子メールに変換すると、電子メールを制御部１に出力する。制御部１は、電子メールのデータ量を算出し、電子メールと算出した電子メールのデータ量とを対応付けてメモリ部６に記憶させる。ここで、データ量とは、電子メールの文字数をいう。また、制御部１は、携帯電話機１０のユーザがキー操作部７を操作して電子メールを作成した場合、作成した電子メールのデータ量を算出し、作成した電子メールと算出した電子メールのデータ量とを対応付けてメモリ部６に記憶させる。そして、制御部１は、携帯電話機１０のユーザがキー操作部７を操作して作成した電子メールを無線部２に入力し、無線部２は、入力された電子メールを無線信号に変換してアンテナ３を介して送信する。
【００２２】
メモリ部６は、制御部１の制御に応じて、情報が任意に書き込まれたり読み出されたりする。ＬＣＤバックライト５がＬＣＤ４を照らす輝度は、携帯電話機１０のユーザがキー操作部７を操作して任意の輝度に設定することができる。具体的には、携帯電話機１０のユーザがキー操作部７を操作して任意の輝度に設定する情報であるバックライト輝度情報を入力し、キー操作部７は入力されたバックライト輝度情報を制御部１に出力し、制御部１は、バックライト輝度情報をメモリ部６に記憶させる。そして、制御部１は、メモリ部６が記憶しているバックライト輝度情報にもとづいてＬＣＤバックライト５がＬＣＤ４を照らす輝度を決定し、決定した輝度でＬＣＤバックライト５を点灯させる。
【００２３】
図２は、本発明による携帯電話機１０の外観例を示す図である。本発明による携帯電話機１０は、図２に示すようなＬＣＤ４とキー操作部７との間を折り畳む折り畳み型携帯電話機に限定されるものではなく、ＬＣＤ４とキー操作部７とが一体の筐体である携帯電話機やその他の形態の携帯電話機であってもよい。
【００２４】
図３は、電子メールをＬＣＤ４に表示する画面である電子メール表示画面の表示例を示す説明図である。制御部１は、表示する文字のフォントサイズを変更することができる。なお、図３に示す例では、フォントサイズは大（図３（ａ）、（ｄ））・中（図３（ｂ）、（ｅ））・小（図３（ｃ）、（ｆ））の３段階に設定され、文字は３段階の大きさで表示されているが、本発明の携帯電話機１０のＬＣＤ４に表示される文字のフォントサイズは３段階の大きさに限定されるものではなく、例えば５段階等の多段階であってもよいし、２段階等であってもよい。
【００２５】
なお、フォントサイズは、例えば、ユーザによって指定される。その場合、予め携帯電話機１０のユーザがキー操作部７を操作してフォントサイズを設定し、制御部１は、ユーザが設定したフォントサイズをメモリ部６に記憶させる。具体的には、携帯電話機１０のユーザがキー操作部７を操作して任意のフォントサイズに設定する情報であるフォントサイズ情報を入力し、キー操作部７は入力されたフォントサイズ情報を制御部１に出力し、制御部１は、フォントサイズ情報をメモリ部６に記憶させる。そして、制御部１は、メモリ部６が記憶しているフォントサイズ情報にもとづいてＬＣＤ４が表示する文字の大きさを決定し、決定した文字の大きさでＬＣＤ４に情報を表示させる。なお、制御部１は、電子メールのデータ量に応じてＬＣＤ４が表示する文字の大きさ（フォントサイズ）を決定し、決定した文字の大きさ（フォントサイズ）でＬＣＤ４に電子メールを表示させてもよい。
【００２６】
図４は、電子メールのデータ量とフォントサイズとに応じて設定されたＬＣＤバックライト５の点灯時間の例を示す説明図である。制御部１が含むフラッシュメモリ（図示せず）は、例えば、図４に示すように、電子メールのデータ量の分類とフォントサイズとの複数種類の組み合わせのそれぞれに応じて設定されたＬＣＤバックライト５の点灯時間を示す情報である点灯時間情報を予め記憶する。図４に示す例では、電子メールのデータ量を大（例えば１００文字以上。）と小（例えば、１００文字未満。）の２段階に分類しているが、本発明はこれに限定されるものではなく、３段階や５段階等の多段階に分類してもよい。制御部１は、ユーザがキー操作部７を操作して電子メール表示画面をＬＣＤ４に表示させ、電子メールの閲覧を開始すると、電子メールのデータ量の分類とフォントサイズとの組み合わせに応じて設定されたＬＣＤバックライト５の点灯時間情報を選択し、ＬＣＤバックライト５を点灯させ、時間の計測を開始する。そして、制御部１は、選択したＬＣＤバックライト５の点灯時間情報が示す点灯時間が経過すると、ＬＣＤバックライト５を消灯させる。なお、制御部１は、ＬＣＤバックライト５の点灯時間中に、ユーザがキー操作部７を操作して画面スクロール等の操作（割り込み処理）を行なうと、それまで計測していた時間をクリアして、再び時間の計測を開始する。また、制御部１は、ＬＣＤバックライト５を消灯させる際に、所定の時間ＬＣＤバックライト５を微点灯させてもよい。
【００２７】
フォントサイズが大きい場合（例えば、図３（ａ）、（ｄ））、１画面に表示される文字数は少なくなるため、ユーザが１画面を読むのに要する時間は短くなり、電子メールのデータ量が多くても、キー操作部７へのキー操作による画面スクロールが頻繁に行なわれることが予想され、その都度ＬＣＤバックライト５の点灯時間が延長されるため、ＬＣＤバックライト５の点灯時間は短くてもよく、ＬＣＤバックライト５の点灯時間を短くする。また、フォントサイズが小さい場合（例えば図３（ｃ）、（ｆ））、１画面に表示される文字数は多くなるため、ユーザが１画面を読むのに要する時間は長くなり、キー操作部７へのキー操作による画面スクロールはあまり行なわれず（つまり、ＬＣＤバックライト５の点灯時間が延長されない。）、さらに、フォントサイズが小さいことによって文字の視認性が悪いため、ＬＣＤバックライト５の点灯時間は長いほうがよいので、ＬＣＤバックライト５の点灯時間を長くする。特に、例えば図３（ｃ）に示したように、電子メールのデータ量が大きい場合、電子メールのデータ量を考慮して、図３（ｆ）に示したように電子メールのデータ量が小さい場合に比べて、ＬＣＤバックライト５の点灯時間を長くする。そして、フォントサイズが中の場合（例えば図３（ｂ）、（ｅ））、ＬＣＤバックライト５の点灯時間は、フォントサイズが大きい場合と小さい場合との間の時間になる。
【００２８】
なお、携帯電話機１０のユーザは、キー操作部７を操作して点灯時間情報を入力し、キー操作部７は入力された点灯時間情報を制御部１に出力し、制御部１は、点灯時間情報をフラッシュメモリに記憶してもよい。すると、受信した電子メールのデータ量の分類とフォントサイズとの組み合わせに応じて設定されたＬＣＤバックライト５の点灯時間をユーザが任意に変更することができる。
【００２９】
次に、本発明の実施の形態の動作について図面を参照して説明する。図５は、本発明の実施の形態の動作を説明するフローチャートである。
【００３０】
制御部１は、携帯電話機１０のユーザがキー操作部７を操作して送信する電子メールを作成して無線部２とアンテナ３とを介して電子メールを送信したり、電子メールを受信したりすると（ステップＳ１１）、電子メールのデータ量を算出して電子メールのデータ量を大または小に分類し、電子メールと電子メールのデータ量の分類とを対応付けてメモリ部６に記憶させる（ステップＳ１２）。
【００３１】
制御部１は、ユーザがキー操作部７を介して電子メール表示画面をＬＣＤ４に表示させる操作をすると、メモリ部６が記憶している電子メールに対応付けられたデータ量の分類と、フォントサイズ情報とを読み出す（ステップＳ１３）。
【００３２】
制御部１は、フラッシュメモリが記憶している点灯時間情報を読み出して、電子メールのデータ量の分類とフォントサイズ情報が示すフォントサイズとの組み合わせに応じて設定されたＬＣＤバックライト５の点灯時間情報を選択する。そして、制御部１は、電子メール表示画面をＬＣＤ４に表示させ、ＬＣＤバックライト５を点灯させ、時間の計測を開始する（ステップＳ１４）。
【００３３】
制御部１は、ＬＣＤバックライト５の点灯時間中に、ユーザがキー操作部７を操作して画面スクロール等の割り込み処理を行なうと、それまで計測していた時間をクリアして、再び時間の計測を開始する（ステップＳ１５、Ｓ１７）。つまり、ＬＣＤバックライト５の点灯時間が延長される。
【００３４】
制御部１は、ＬＣＤバックライト５の点灯時間中に、ユーザがキー操作部７を操作してフォントサイズを変更すると、変更したフォントサイズと電子メールのデータ量の分類との組み合わせに応じて設定されたＬＣＤバックライト５の点灯時間情報をフラッシュメモリの記憶内容から新たに選択し、それまで計測していた時間をクリアして、再び時間の計測を開始する（ステップＳ１６、Ｓ１７）。つまり、ＬＣＤバックライト５の点灯時間が変更される。
【００３５】
制御部１は、計測している時間が、選択した点灯時間情報が示す点灯時間に達するとＬＣＤバックライト５を消灯させる（ステップＳ１８、Ｓ１９）。
【００３６】
以上、述べたように、本発明の実施の形態によれば、電子メール表示画面に表示する電子メールのデータ量とフォントサイズとに応じて、ＬＣＤバックライト５の点灯時間を設定することができる。
【００３７】
制御部１は、ユーザがキー操作部７を操作して電子メール表示画面をＬＣＤ４に表示させてから、最初にキー操作部７を操作するまでの時間を計測して、１画面を読むのに要した時間として集計し、集計した結果に応じてＬＣＤバックライト５の点灯時間を変更するようにしてもよい。
【００３８】
具体的には、制御部１が、ユーザがキー操作部７を操作して電子メール表示画面をＬＣＤ４に表示させてから最初にキー操作部７を操作するまでの時間を、電子メールのデータ量の分類とフォントサイズとの組み合わせに対応付けてメモリ部６に記憶させる。制御部１は、電子メールのデータ量の分類とフォントサイズとの組み合わせに対応付けてメモリ部６に記憶させた、ユーザがキー操作部７を操作して電子メール表示画面をＬＣＤ４に表示させてから最初にキー操作部７を操作するまでの時間が、所定の回数（例えば１０回）になると、メモリ部６が記憶している制御部１が計測した結果を集計し、電子メールのデータ量の分類とフォントサイズとの組み合わせに現在設定されているＬＣＤバックライト５の点灯時間より長い場合があれば、ＬＣＤバックライト５の点灯時間の設定を１ＳＴＥＰ（例えば、１秒。）長くし、現在設定されているＬＣＤバックライト５の点灯時間より長い場合がなければ、ＬＣＤバックライト５の点灯時間の設定を１ＳＴＥＰ（例えば、１秒。）短くする。
【００３９】
その場合の動作について説明する。図６は、ユーザがキー操作部７を操作して電子メール表示画面をＬＣＤ４に表示させてから、最初にキー操作部７を操作するまでの時間に応じてＬＣＤバックライト５の点灯時間の設定を変更する場合の動作を説明するフローチャートである。
【００４０】
制御部１は、ユーザがキー操作部７を操作して電子メール表示画面をＬＣＤ４に表示させてから最初にキー操作部７を操作するまでの時間を計測する（ステップＳ２１）。
【００４１】
制御部１は、電子メールのデータ量の分類とフォントサイズとの各組み合わせに対応付けて、計測した時間をメモリ部６に記憶させる。すなわち、フラッシュメモリが記憶している各点灯時間情報毎に、計測時間をメモリ部６に記憶させる。そして、制御部１は、電子メールのデータ量の分類とフォントサイズとの組み合わせに対応付けて計測してメモリ部６に記憶させた時間が、所定の回数（例えば１０回）に達すると、メモリ部６が記憶している計測時間を、フラッシュメモリが記憶している各点灯時間情報毎に集計する（ステップＳ２２）。
【００４２】
制御部１は、集計された計測時間の中に、対応する点灯時間情報が示す時間よりも長いものがある場合にはＬＣＤバックライト５の点灯時間を１ＳＴＥＰ（例えば、１秒。）長くするようにフラッシュメモリが記憶している点灯時間情報を更新する（ステップＳ２３，Ｓ２５，Ｓ２６）。点灯時間情報が示す時間よりも長いものがない場合には、ＬＣＤバックライト５の点灯時間を１ＳＴＥＰ（例えば、１秒。）短くするようにフラッシュメモリが記憶している点灯時間情報を更新する（ステップＳ２３，Ｓ２４，Ｓ２６）。
【００４３】
以上の処理によって、ユーザがメール画面を開いてから最初にキー操作部７の操作を行うまでの時間を１画面を読むのに要した時間として取り扱い、その時間の計測結果をフィードバックして、ユーザが電子メールを読むのに要する時間にあわせたＬＣＤバックライト点灯時間を設定することができる。
【００４４】
なお、この実施の形態では、電子メールを閲覧する場合のＬＣＤバックライト５の点灯時間について述べたが、本発明はこれに限定されるものではなく、例えば、インターネット等を介して情報を受信してＬＣＤ４に表示した場合のＬＣＤバックライト５の点灯時間の設定に用いてもよい。
【産業上の利用可能性】
【００４５】
携帯電話機のＬＣＤのバックライトの点灯時間の制御に利用することができる。
【図面の簡単な説明】
【００４６】
【図１】本発明の実施の形態の一構成例を示すブロック図である。
【図２】本発明による携帯電話機の一外観例を示す図である。
【図３】電子メール表示画面の表示例を示す説明図である。
【図４】電子メールのデータ量とフォントサイズとに応じて設定されたＬＣＤバックライトの点灯時間の例を示す説明図である。
【図５】本発明の実施の形態の動作を説明するフローチャートである。
【図６】ユーザが電子メール表示画面をＬＣＤに表示させてから、最初にキー操作部を操作するまでの時間に応じてＬＣＤバックライトの点灯時間の設定を変更する場合の動作を説明するフローチャートである。
【符号の説明】
【００４７】
１  制御部
２  無線部
３  アンテナ
４  ＬＣＤ
５  ＬＣＤバックライト
６  メモリ部
７  キー操作部
１０  携帯電話機
【図１】
2005229536.tif 000003
【図２】
2005229536.tif 000004
【図３】
2005229536.tif 000005
【図４】
2005229536.tif 000006
【図５】
2005229536.tif 000007
【図６】
2005229536.tif 000008